(57)【要約】 【課題】  ビデオフォトグラフィック装置のためのショルダーサポートフレームを提供すること。【解決手段】  ビデオフォトグラフィック装置（２）のためのショルダーサポートフレーム（１）は、ショルダー上におけるベアリングのためのエレメント（３）と、ショルダーベアリングエレメントから長手方向（Ｘ）に延びている少なくとも１つのレール（４）と、レールにスライドできるように取り付けられているサポートプレート（５）と、ショルダーベアリングエレメントに対して長手軸上の反対側に配置される、フレームに対する１対のサポートハンドル（６）とを具備している。少なくとも１つのサポートハンドル（６）はフレーム（１）から選択的に取り外し可能で、補助ハンドル（３０）は、配設され、ビデオフォトグラフィック装置のためのリモートコントロール手段を備え、サポートハンドルの１つに代わってフレームに固定されるように配置されている。【選択図】      図１
0003181673.tif 000002
【実用新案登録請求の範囲】
【請求項１】
ショルダー上におけるベアリングのためのエレメント（３）と、
前記ショルダーベアリングエレメントから長手方向（Ｘ）に延びている少なくとも１つのレール（４）と、
前記少なくとも１つのレールにスライドできるように取り付けられているサポートプレート（５）と、
前記ショルダーベアリングエレメントに対して長手軸上の反対側に配置される、フレームに対する１対のサポートハンドル（６）と、
を具備し、
前記少なくとも１つのサポートハンドル（６）は、前記フレーム（１）から選択的に取り外し可能で、
ビデオフォトグラフィック装置のためのリモートコントロール手段（４０）を備え、前記フレームの前記少なくとも１つのサポートハンドルと代替するように前記少なくとも１つの前記サポートハンドルに代わって前記フレームに固定されるように配置されている補助ハンドル（３０）を具備していることを特徴とするビデオフォトグラフィック装置（２）のためのショルダーサポートフレーム。
【請求項２】
前記リモートコントロール手段（４０）は、焦点のセッティングと調整とのための１つ以上のデバイスと、レコーディングをスタートさせてストップさせるデバイスとを具備する請求項１に記載のフレーム。
【請求項３】
前記リモートコントロール手段の管理のためのディスプレイ（３５）を前記補助ハンドルに配置している請求項１または請求項２に記載のフレーム。
【請求項４】
第１のソケット（３６）は、前記ビデオフォトグラフィック装置に対する連結ケーブルと連結するために前記補助ハンドルに配設されている先行する請求項のいずれか１項に記載のフレーム。
【請求項５】
前記サポートハンドル（６）と前記補助ハンドル（３０）とは、それぞれの第１の長手端にて択一的に前記フレームに固定される先行する請求項のいずれか１項に記載のフレーム。
【請求項６】
前記フレームに前記サポートハンドルまたは前記補助ハンドルを取り付けるために、リバーシブルアクションを有する固定手段（１１）が配設され、前記少なくとも１つのレールに対して所望する方向に前記サポートハンドルまたは前記補助ハンドルを位置決めすることを許容するような接合ジョイント（１２）を具備している先行する請求項のいずれか１項に記載のフレーム。
【請求項７】
前記接合ジョイント（１２）は、ボールタイプであり、シート（１４）内において部分的に受けられるボールエレメント（１３）と、ボールエレメント（１３）から突出し、前記サポートハンドルと前記補助ハンドルとに適切に連結するための取り付け部（１５）とを具備し、同様にブレーキ（１６）は、前記シート内において前記ボールエレメントの移動をブロックするために、前記ボールエレメントから離れるそして向かうように移動できる請求項６に記載のフレーム。
【請求項８】
前記ボールエレメントは、前記サポートハンドルと前記補助ハンドルとにねじ止めによって係合するのに適切なネジ（１８）によって横断される請求項７に記載のフレーム。
【請求項９】
前記シート（１４）において、前記取り付け部（１５）が側方開口（２２）に受けられるように前記ボールエレメントが回転するとき、前記ネジがアクセスすることができるように、直径方向の反対側に前記側方開口（２２）と貫通ホール（２３）とが配設さている請求項８に記載のフレーム。
【請求項１０】
前記取り付け部（１５）と、前記サポートハンドル（６）及び前記補助ハンドル（３０）とにおいて、非回転連結手段（２４，２５）が配設されている請求項７乃至請求項９のいずれか１項に記載のフレーム。
【請求項１１】
ハンドルの長手軸に沿って延びているハンドグリップ（３１）と、
ビデオフォトグラフィック装置（２）のサポートに取り外し可能に固定されるように配置される取り付け部（３２）と、
前記ビデオフォトグラフィック装置（２）のためのリモートコントロール手段（４０）と、
を具備し、
前記取り付け部（３２）は前記ハンドグリップに対して長手方向の反対側に配置され、前記リモートコントロール手段は、前記ハンドグリップ（３１）と前記取り付け部（３２）との間に介在するビデオフォトグラフィック装置（２）のリモートコントロール手段のためのハンドル。
【請求項１２】
前記取り付け部（３２）において、ネジが切られた軸ホール（２１）が配設されており、前記サポートと連結するための非回転手段としての非円形断面の突起（２５）が配設されている請求項１１に記載のハンドル。
【考案の詳細な説明】
【技術分野】
【０００１】
本考案は、独立請求項の序文に述べられている特徴を有するビデオフォトグラフィック装置のためのショルダーサポートフレームに関する。
【背景技術】
【０００２】
本考案は、特に限定されないが、略称としてＶＤＳＬＲとして知られている反射タイプのデジタルビデオ機器と共に実施されるビデオ撮影の分野において使用することを意図している。
【０００３】
ビデオ撮影の間にこのような機器をサポートするために、ショルダーサポートフレームは、一般的に、ビデオフォトグラフィック装置がスライドするように取り付けられている一対のレールと、レールに沿って装置の位置を調整するために配設されているオプションとを具備していることとして知られている。
【０００４】
このようなフレームには、通常、ショルダー上における快適なベアリングを許容するような適切な形状で、前述した１対のレールから長く延びている第１のベアリングエレメントと、ショルダーベアリングエレメントの反対側にてフレームをサポートするようにユーザの両手によって把持されるように配置されている一対のサポートハンドルとが配設されている。
【０００５】
特に、このようなサポートハンドルは、ビデオフォトグラフィック装置に対して反対側にてレールと接続しており、さらにフレームが通常使用される状況下において下方に延びている。さらに、フレームは、ショルダーと両手とによって、オペレータによってサポートされている。ビデオフォトグラフィック装置は、通常、例えば焦点の調整といったいくつかのケースにおいてといくつかの特定の機能のためにおいても装置の特定のコントロールによってコントロールされ、準備は、前述した装置に接続するリモートコントロールデバイスを使用し、サポートハンドルに密接するように位置決めされるために実施される。
【考案の概要】
【０００６】
それゆえ、オペレータは、ビデオフォトグラフィック装置に対してコマンドを入力する必要があるときはいつでもサポートハンドルから片手を離す必要があり、フレームと前述した装置とのサポートは、不安定でバランスが崩れる可能性が生じる。
【０００７】
それゆえ、本考案は、前記した従来技術の説明に構造的及び機能的に限定されることがないビデオフォトグラフィック装置のためのショルダーサポートフレームを提供することを目的とする。
【０００８】
また明細書の以下の部分において表現されているこの及び他の目的は、ビデオフォトグラフィック装置のためのショルダーサポートフレームによって本考案を達成でき、フレームは以下のクレームに従って提供することにある。
【０００９】
本考案の特徴と利点とは、好適な代表的な実施形態の１つの詳細な説明と、示されているイラストと、添付した図面に関連する限定されない実例とから明瞭となる。
【図面の簡単な説明】
【００１０】
【図１】図１は、本考案に関する補助ハンドルを欠く第１の構成におけるビデオフォトグラフィック装置のためのショルダーサポートフレームの概略的な斜視図である。
【図２】図２は、補助ハンドルが取り付けられている第２の構成における図１のフレームのコンポーネントの概略図である。
【図３】図３は、部分的に外されている図２のコンポーネントの概略図である。
【図４】図４は、図３のコンポーネントの一部の平面ＩＶ−ＩＶにおける断面図である。
【図５ａ】図５ａは、図２のコンポーネントに取り付けられる補助ハンドルの概略図である。
【図５ｂ】図５ｂは、図２のコンポーネントに取り付けられる補助ハンドルの上方からの平面図である。
【図５ｃ】図５ｃは、図２のコンポーネントに取り付けられる補助ハンドルの側面図である。
【図６】図６は、補助ハンドルを供え、ショルダーにベアリングが位置決めされている図１のサポートフレームの様々な実施形態の斜視図である。
【考案を実施するための形態】
【００１１】
図面において、ラベル１は、ビデオフォトグラフィック装置２をサポートするためのショルダーサポートフレーム全体を示し、フレームは本考案に従って提供される。
【００１２】
好適には、ビデオフォトグラフィック装置２は、反射タイプのデジタルビデオ装置（ＶＤＳＬＲ）である。
【００１３】
フレーム１は、ショルダー上におけるベアリングのためのエレメント３と、ショルダーベアリングエレメント３から長手方向Ｘに他方に平行に延びている２つのレール４と、レール４にスライドできるように取り付けられているサポートプレート５と、ショルダーベアリングエレメント３に対して長手軸上の反対側に配置され、レール４からサポートプレート５に対して反対側に延びている１対のサポートハンドル６とを具備している。
【００１４】
後述するが、ビデオフォトグラフィック装置２を取り付ける手段を備えており、レール４に沿ってサポートプレート５のスライドを許容するまたはストップさせることを選択的に操作する例えばクランプ−ベース手段であるロック手段７と、サポートプレート５に対してビデオフォトグラフィック装置２の位置を調整のための位置決め手段８とによって規定されている。
【００１５】
ショルダーベアリングエレメント３は、オペレータのショルダーの構造的な形状に十分対応するようにカーブしており、フレーム１のバランスを向上するために配設されている釣り合いおもり３ａを備えている。
【００１６】
本考案の様々な実施形態において、仮に、レール４の数は２つとは異なっていてもよく、少なくとも１つ配設されていればよく、曲線または折れ線パターンに従った形状であってもよく、図６に示すように、例えば、互いに連続して交互に配置されており、オフセットデバイスに４ｃによって連結している２対のレール４ａ，４ｂによって形成されてもよい。
【００１７】
サポートハンドル６は、連結エレメント９に取り付けられており、そして次にレール４に沿ったスライドを許容するまたはストップするクランプロッキングデバイス９ａによってレール４に留置される。
【００１８】
各サポートハンドル６は、通常、主な長手軸を有する円筒形状であり、幅の広いハンドグリップ６ａを認定しており、ハンドグリップ６ａの長手の反対の第１の端に連結エレメント９に取り付けられるための取り付け部１０を有している。
【００１９】
本考案の第１の態様に関して、少なくとも１つのサポートハンドル６は、留置の簡単で素早い動作とフレーム１からサポートハンドル６を取り外しとを可能にするリバーシブルアクションを有する固定手段１１によって連結エレメント９に取り付けられている。
【００２０】
好適には、両方のサポートハンドル６は、各固定手段１１によって連結エレメント９に取り付けられている。
【００２１】
後述するように、好適には、連結エレメント９の一端に配置され、好適にはレール４に対して所望する方向に従ってサポートハンドル６の位置決めを許容するような接合ジョイント１２を具備している。
【００２２】
好適には、接合ジョイント１２は、ボールタイプであり、シート１４内において、部分的に受けられ、回転自在なボールエレメント１３と、ボールエレメント１３から突出し、サポートハンドル６の各取り付け部１０に対して適切に連結するためのボールエレメント１３を具備している。
【００２３】
固定手段１１は、シート１４内において後述の位置をロックするために、シート１４内においてボールエレメント１３から離れるそして向かうように移動できるブレーキ１６を具備している。ブレーキ１６の移動は、連結エレメント９に取り付けられるリングナット１７によってコントロールされる。
【００２４】
さらに、ボールエレメント１３は、ボールエレメント１３の軸回りに回転で、サポートハンドル６にねじ止めによって係合するのに適切なネジ１８によって横断される。特に、ネジ１８はヘッド１９においてボールエレメント１３に達し、一方心棒２０は、サポートハンドル６の取り付け部１０の軸方向に作製されたネジが切られたホール２１に係合するために取り付け部１５から突出している。
【００２５】
シート１４は、取り付け部１５が突出する口１４の端にて徐々に狭まる円筒形状を有しており、口１４ａと連結する外周であり、所定の平面にてボールエレメント１３の大きな回転移動を許容するように取り付け部１５が揺動できる後述する側方開口２２を備えている。
【００２６】
側方開口２２に対して直径方向の反対側において、貫通ホール２３がシート１４に作製されており、ボールエレメント１３が取り付け部１５と共に側方開口２２の内側において回転する際、ネジ１８のヘッド１９はホール２３と共に一列に並び、ホール２３に導かれる例えばスクリュードライバーなどの適切な工作機器によって簡単に係合する。
【００２７】
さらに各取り付け部１０，１５において、窪み２４と突起２５とは、ボールエレメント１３とサポートハンドル６との間に非回転連結を形成するように非円形断面を有している。
【００２８】
本考案のさらなる態様に関して、フレーム１は、固定手段１１によって連結エレメント９に選択的に留置され、２つのサポートハンドル６の一方に代わる補助ハンドル３０を具備している。
【００２９】
補助ハンドル３０は、サポートハンドル６と略同様の形状を有しており、補助ハンドル３０の長手軸に沿って延びているハンドグリップ３１と、サポートハンドル６の取り付け部１０と略同様に長手の反対側に配置され、サポートハンドル６と同様に固定手段１１に留置される取り付け部３２とを有している。
【００３０】
さらに、補助ハンドル３０は、ラベル４０によって全体を示され、ビデオフォトグラフィック装置２のためのリモートコントロール手段を備えており、好適には、親指をベアリングするための印４１ａが配設されているコントロールリング４１と、焦点をセットするためのジョイスティックタイプのデバイス４２と、焦点を記憶するためのボタン４３とを含む、焦点調整のためのデバイスと、人差し指によって簡単にコントロールされるように前述したコントロールに対して反対側に配置されたボタン４４を具備している、レコーディングをスタートさせてストップさせるための、またはシャッターのコントロールのためのデバイスとを具備している。さらにビデオフォトグラフィック装置２をコントロールするための他のデバイスは、例えば、ビデオ／フォト操作モード選択ボタン、明るさ調整デバイス等として、配設されている。
【００３１】
さらに、補助ハンドル３０において、ビデオフォトグラフィック装置２のセッティングと入力されたコマンドとの良い管理及び視覚化のためのディスプレイ３５が適切に配置されている。
【００３２】
簡便的に、全てのコントロールは、ハンドグリップ３１から手を離さずにオペレータの例えば親指と人差し指とが届くように、ハンドグリップ３１と取り付け部３２との間にて位置決めされている。さらに、ハンドグリップ３１の内側において、再充電可能なバッテリーのためのコンパートメントが配設されている。
【００３３】
リモートコントロール手段４０によってビデオフォトグラフィック装置２のコントロールを許容するために、補助ハンドル３０において、例えばＵＳＢソケットのような第１の連結ソケット３６は、ビデオフォトグラフィック装置２に対して連結するための連結ケーブル（図示しない）のために配設されている。
【００３４】
例えば、ＵＳＢタイプのような第２の連結ソケット３７はリモートコントロール手段３１のアップデートを実行することを許容するために配設されることができ、一方、例えばＨＤＭＩタイプのような第３の連結ソケット３８は外部ディスプレイにビデオフォトグラフィック装置２のディスプレイの出力信号を送信するために配設されることができる。
【００３５】
代案として、仮に、例えばブルートゥース接続などのワイアレスで実行できるようにビデオフォトグラフィック装置２と接続してもよい。
【００３６】
補助ハンドル３０によって、フレーム１は、サポートハンドル６の一方を補助ハンドル３０と代替することによって特に機能することとなる。
【００３７】
リングナット１７によって接合ジョイント１２を緩めた後、側方開口２２にボールエレメント１３の取り付け部１５を動かすように、サポートハンドル６を揺動することによって操作が実施される。さらに、ネジ１８のヘッド１９をホール２３にアクセスでき、連結エレメント９とサポートハンドル６とを連結させているネジ１８を緩めることができる。
【００３８】
このポイントにおいて、補助ハンドル３０の取り付け部３２に配設されているネジが切られたホールに対応するようにネジ１８を締めることによって補助ハンドル３０をボールエレメント１３に連結できる。
【００３９】
好適には１方に向けて、補助ハンドル３０の位置は、ブレーキ１６によってロックされている。ビデオフォトグラフィック装置２は、例えば、第１のソケット３６に挿入される連結ケーブルによって、補助ハンドル３０のリモートコントロール手段４０と連結する。
【００４０】
オペレータは、補助ハンドル３０のハンドグリップ３１と、代替されていないサポートハンドル６のハンドグリップ６ａとを握るように両手でフレーム１をサポートでき、同時に、オペレータは、手の親指の操作によって、リモートコントロール手段４０によってビデオフォトグラフィック装置２の正確な操作のための調整をセットでき必要なコマンドを入力できる。
【００４１】
特にオペレータは、ハンドグリップ３１から手を離さずに、マニュアル調整のために焦点パラメータをセットでき、ビデオ撮影をスタートできストップできる。
【００４２】
補助ハンドル３０は、フレーム１から不連結した際、適切な留置デバイスによって、ビデオフォトグラフィック装置のリモートコントロールをサポートする他のタイプと組み合わせることもできる。
【００４３】
本考案は、上述した狙いと同時に様々な有利な点を達成することを記載及び請求し、例えば、３脚サポートヘッドのようなビデオフォトグラフィック装置の他のタイプに使用されるリモートコントロールを含む。
【符号の説明】
【００４４】
１…フレーム、２…ビデオフォトグラフィック装置、３…エレメント、４…レール、５…サポートプレート、６…サポートハンドル、３０…補助ハンドル、４０…リモートコントロール手段。
【図１】
0003181673.tif 000003
【図２】
0003181673.tif 000004
【図３】
0003181673.tif 000005
【図４】
0003181673.tif 000006
【図５ａ】
0003181673.tif 000007
【図５ｂ】
0003181673.tif 000008
【図５ｃ】
0003181673.tif 000009
【図６】
0003181673.tif 000010
【手続補正書】
【提出日】平成24年12月12日(2012.12.12)
【手続補正１】
【補正対象書類名】実用新案登録請求の範囲
【補正対象項目名】全文
【補正方法】変更
【補正の内容】
【実用新案登録請求の範囲】
【請求項１】
ショルダー上におけるベアリングのためのエレメント（３）と、
前記ショルダーベアリングエレメントから長手方向（Ｘ）に延びている少なくとも１つのレール（４）と、
前記少なくとも１つのレールにスライドできるように取り付けられているサポートプレート（５）と、
前記ショルダーベアリングエレメントに対して長手軸上の反対側に配置される、フレームに対する１対のサポートハンドル（６）と、
を具備し、
前記少なくとも１つのサポートハンドル（６）は、前記フレーム（１）から選択的に取り外し可能で、
ビデオフォトグラフィック装置のためのリモートコントロール手段（４０）を備え、前記フレームの前記少なくとも１つのサポートハンドルと代替するように前記少なくとも１つの前記サポートハンドルに代わって前記フレームに固定されるように配置されている補助ハンドル（３０）を具備していることを特徴とするビデオフォトグラフィック装置（２）のためのショルダーサポートフレーム。
【請求項２】
前記リモートコントロール手段（４０）は、焦点のセッティングと調整とのための１つ以上のデバイスと、レコーディングをスタートさせてストップさせるデバイスとを具備する請求項１に記載のフレーム。
【請求項３】
前記リモートコントロール手段の管理のためのディスプレイ（３５）を前記補助ハンドルに配置している請求項１または請求項２に記載のフレーム。
【請求項４】
第１のソケット（３６）は、前記ビデオフォトグラフィック装置に対する連結ケーブルと連結するために前記補助ハンドルに配設されている請求項１乃至請求項３のいずれか１項に記載のフレーム。
【請求項５】
前記サポートハンドル（６）と前記補助ハンドル（３０）とは、それぞれの第１の長手端にて択一的に前記フレームに固定される請求項１乃至請求項４のいずれか１項に記載のフレーム。
【請求項６】
前記フレームに前記サポートハンドルまたは前記補助ハンドルを取り付けるために、リバーシブルアクションを有する固定手段（１１）が配設され、前記少なくとも１つのレールに対して所望する方向に前記サポートハンドルまたは前記補助ハンドルを位置決めすることを許容するような接合ジョイント（１２）を具備している請求項１乃至請求項５のいずれか１項に記載のフレーム。
【請求項７】
前記接合ジョイント（１２）は、ボールタイプであり、シート（１４）内において部分的に受けられるボールエレメント（１３）と、ボールエレメント（１３）から突出し、前記サポートハンドルと前記補助ハンドルとに適切に連結するための取り付け部（１５）とを具備し、同様にブレーキ（１６）は、前記シート内において前記ボールエレメントの移動をブロックするために、前記ボールエレメントから離れるそして向かうように移動できる請求項６に記載のフレーム。
【請求項８】
前記ボールエレメントは、前記サポートハンドルと前記補助ハンドルとにねじ止めによって係合するのに適切なネジ（１８）によって横断される請求項７に記載のフレーム。
【請求項９】
前記シート（１４）において、前記取り付け部（１５）が側方開口（２２）に受けられるように前記ボールエレメントが回転するとき、前記ネジがアクセスすることができるように、直径方向の反対側に前記側方開口（２２）と貫通ホール（２３）とが配設さている請求項８に記載のフレーム。
【請求項１０】
前記取り付け部（１５）と、前記サポートハンドル（６）及び前記補助ハンドル（３０）とにおいて、非回転連結手段（２４，２５）が配設されている請求項７乃至請求項９のいずれか１項に記載のフレーム。
【請求項１１】
ハンドルの長手軸に沿って延びているハンドグリップ（３１）と、
請求項１乃至請求項１０のいずれか１項に記載のビデオフォトグラフィック装置（２）のショルダーサポートフレームに取り外し可能に固定されるように配置される取り付け部（３２）と、
前記ビデオフォトグラフィック装置（２）のためのリモートコントロール手段（４０）と、
を具備し、
前記取り付け部（３２）は前記ハンドグリップに対して長手方向の反対側に配置され、前記リモートコントロール手段は、前記ハンドグリップ（３１）と前記取り付け部（３２）との間に介在するビデオフォトグラフィック装置（２）のリモートコントロール手段のためのハンドル。
【請求項１２】
前記取り付け部（３２）において、ネジが切られた軸ホール（２１）が配設されており、前記サポートと連結するための非回転手段としての非円形断面の突起（２５）が配設されている請求項１１に記載のハンドル。
【手続補正２】
【補正対象書類名】明細書
【補正対象項目名】０００２
【補正方法】変更
【補正の内容】
【０００２】
本考案は、特に限定されないが、略称としてＶＤＳＬＲ（登録商標）として知られている反射タイプのデジタルビデオ機器と共に実施されるビデオ撮影の分野において使用することを意図している。
【手続補正３】
【補正対象書類名】明細書
【補正対象項目名】００１２
【補正方法】変更
【補正の内容】
【００１２】
好適には、ビデオフォトグラフィック装置２は、反射タイプのデジタルビデオ装置（ＶＤＳＬＲ（登録商標）である。
【手続補正４】
【補正対象書類名】明細書
【補正対象項目名】００３４
【補正方法】変更
【補正の内容】
【００３４】
例えば、ＵＳＢタイプのような第２の連結ソケット３７はリモートコントロール手段３１のアップデートを実行することを許容するために配設されることができ、一方、例えばＨＤＭＩ（登録商標）タイプのような第３の連結ソケット３８は外部ディスプレイにビデオフォトグラフィック装置２のディスプレイの出力信号を送信するために配設されることができる。